(57)【特許請求の範囲】
【請求項１】
表面側を覆う透液性トップシートと裏面側を覆う不透液性バックシートとにより吸収体を内装しておむつ本体を形成し、該おむつ本体の背部両側に固定したファスニングテープのテープ基材の表面に設けたオス材と、前記バックシートの裏面腹部位置に設けた係止用シートのメス材とを係脱することにより前記おむつ本体を身体腰部に着脱可能とした使い捨て紙おむつにおいて、
前記テープ基材を不織布で構成し、
前記テープ基材の表面にエンボス率１００％をもってエンボス処理を施し、
前記テープ基材の裏面に、エンボス率が１５％より大きく、エンボス間ピッチが１．５ｍｍより小さい値でもって、多数の楕円状の凹部であるエンボスが千鳥格子状に配列されるエンボス処理を施し、
前記楕円状の凹部は、隣合う前記凹部で、楕円の長軸の長さが異なり、かつ、前記長軸の傾きが９０°異なることを特徴とする使い捨て紙おむつ。
【発明の詳細な説明】
【技術分野】
【０００１】
本発明は、おむつの装着時及び廃棄時に使用されるファスニングテープを有する使い捨て紙おむつに関する。
【背景技術】
【０００２】
従来、乳幼児や要介護者等に使用される使い捨ての紙おむつとして種々の形態のものが提供されているが、その基本的な構成は図４に展開平面図で示すようになっている。すなわち、この使い捨ての紙おむつ１は、表面側を覆う不織布等から成る透液性トップシート２と、裏面側を覆う薄いポリエチレン等から成るバックシート３とにより綿状パルプ等から成る吸収体４を内装しておむつ本体５を形成し、このおむつ本体５の背部両側に装着時及び廃棄時に使用されるファスニングテープ６を固定して成っている。なお、おむつ本体５の腰周り部にはゴム紐等の弾性伸縮部材７が設けられており、また同様な弾性伸縮部材８が脚周り部に設けられている。さらにまた、バックシート３の裏面腹部位置には、ファスニングテープ６を係止するためのフック受等から成るメス材（図示せず）を外面に備えた係止用シート９が付設されている。この係止用シート９は、フロントシート、フロンタルテープ、ランディングテープ、あるいはランド部材等と呼称されている。
【０００３】
ここに、ファスニングテープ６は、図５に図４のＸ−Ｘ断面図で示すように、不織布等から成るファスニングテープ基材（以下「テープ基材」という）６ａと、テープ基材６ａの表面に接着剤等により固定されたフック等から成るオス材６ｂとで構成されている。なお、テープ基材６ａの一端部６ａ１側は、例えば図示するように、トップシート２とバックシート３に挟持され、熱溶着あるいは接着剤等によりおむつ本体５に固定されおり、他端部６ａ２側は自由端となっている。
【０００４】
以上のとおり構成されたこの使い捨て紙おむつ１は、図６に斜視図で示すような状態で使用される。すなわち、これは、図４に示すおむつ本体５を長手方向の略中央部から二つに折り畳んで前身頃１０と後身頃１１を形成し、身体の腹部位置でファスニングテープ６のオス材６ｂと係止用シート９のメス材とを係合して着用者の腰部に固定した状態を示している。このように、ファスニングテープ６は紙おむつ１の装着時に使用される。
【０００５】
また、このファスニングテープ６は紙おむつ１の廃棄時にも使用される。図７はその廃棄状態を示す平面図で、一般に、使用済みの紙おむつ１は前身頃１０側から、あるいは股間部を中心としてぐるぐる巻き上げられ、図示するように、ファスニングテープ６同士を重ね合わせて止着され、そして廃棄される。
【発明の開示】
【発明が解決しようとする課題】
【０００６】
しかしながら、このようにファスニングテープ６同士を重ね合わせて止着すると、紙おむつ１全体が幅方向に広がった状態となり、嵩張ったまま廃棄することになるために、このような従来の紙おむつ１は後処理が大変煩わしいという欠陥があった。
【０００７】
このように紙おむつ１を嵩張った状態で廃棄する理由としては次の二つがあげられる。その一つは、一方のファスニングテープ６に設けられたオス材６ｂが、他方のファスニングテープ６のテープ基材６ａ（このテープ基材６ａは不織布等の布材で作られていることは前述したとおりである）の裏面と係合し易いことであり、もう一つは、おむつ本体５の中核をなす、換言すれば、紙おむつ１全体の体積の大半を占める吸収体４自体がかなりの厚みと硬さを有して作られていることである。
【０００８】
すなわち、このようにファスニングテープ６同士が係合し易く、また吸収体４が厚くて硬いと、廃棄処理者は廃棄に際し、あえて力を入れて紙おむつ１全体をコンパクトにまとめようとはせず、ファスニングテープ６同士が重なる位置で止着をしてしまうからである。
【０００９】
また、上述したようにファスニングテープ６同士が係合し易いと、両者の係脱を繰り返しているうちに、テープ基材６ａの係合面、すなわち裏面に毛羽が立つようになり、ファスニングテープ６の見栄えが悪くなるという欠陥があった。
【００１０】
さらにまた、従来の紙おむつ１のファスニングテープ６では、その構造及び材質に起因し、図８に示すように、テープ基材６ａの表面に設けられたオス材６ｂとテープ基材６ａの自由端部表面とが係合してしまうことが度々生じていた。このようにテープ基材６ａの自由端部表面がオス材６ｂと係合すると、ファスニングテープ６の摘み代がなくなってしまい、装着時や廃棄時に摘み難くなるのみならず、オス材６ｂの止着面積が減少することにもなるため、オス材６ｂによる係合力が低下するという欠陥があった。
【００１１】
本発明は、上記実情に鑑みてなされたものであり、その目的とするところは、使用済みの使い捨て紙おむつを廃棄するに際しコンパクトにまとめて処理することができ、また、ファスニングテープに毛羽を立たせることがなく、さらにまた、ファスニングテープの摘み代をなくしたり係合力を低下させたりすることのない使い捨て紙おむつを提供することにある。
【課題を解決するための手段】
【００１２】
本発明の上記目的は、表面側を覆う透液性トップシートと裏面側を覆う不透液性バックシートとにより吸収体を内装しておむつ本体を形成し、該おむつ本体の背部両側に固定したファスニングテープのテープ基材の表面に設けたオス材と、前記バックシートの裏面腹部位置に設けた係止用シートのメス材とを係脱することにより前記おむつ本体を身体腰部に着脱可能とした使い捨て紙おむつにおいて、前記テープ基材を不織布で構成し、前記テープ基材の表面にエンボス率１００％をもってエンボス処理を施し、前記テープ基材の裏面に、エンボス率が１５％より大きく、エンボス間ピッチが１．５ｍｍより小さい値でもって、多数の楕円状の凹部であるエンボスが千鳥格子状に配列されるエンボス処理を施し、前記楕円状の凹部は、隣合う前記凹部で、楕円の長軸の長さが異なり、かつ、前記長軸の傾きが９０°異なることを特徴とする、請求項１にかかる使い捨て紙おむつによって達成される。
【発明の効果】
【００１５】
上述のとおり、本願請求項１に記載の発明では、おむつ本体の中核をなす吸収体、換言すれば、紙おむつ全体の大半を占める吸収体の厚みＴ（ｍｍ）が２．０〜３．０（ｍｍ）と薄く設定され、かつ、不織布から成るファスニングテープ基材の表面に設けられたオス材とバックシートの裏面との剥離力Ｆ１（ｇｆ／２５ｍｍ）が前記オス材と前記ファスニングテープ基材の裏面との剥離力Ｆ２（ｇｆ／２５ｍｍ）よりも大きく設定されている。このため、この発明によれば、使用済みの当該紙おむつを廃棄するに際し、廃棄処理者がぐるぐる巻き上げて左右からファスニングテープで止着するとき、このファスニングテープ同士が剥離し易くなっていることから、廃棄処理者は自ずと当該紙おむつを左右から内側に力を入れてまとめ上げるようになり、また、紙おむつ自体が薄く作られていることから、さほどの力を要さずコンパクトにまとめることができるので、後処理が大変楽になるという効果が得られる。
【００１６】
とくに、ファスニングテープ基材の裏面にエンボス処理が施され、このエンボス処理により熱圧着されて繊維表面が平滑化された請求項２に記載の発明によれば、上記効果がより効率的に達成されることに加え、ファスニングテープの裏面に毛羽を立たせることを防止することができるという効果が得られる。
【００１７】
さらにまた、前記剥離力Ｆ１と、前記オス材と前記ファスニングテープ基材の表面との剥離力Ｆ（ｇｆ／２５ｍｍ）との関係、及び、このファスニングテープ基材の表面に施されるエンボス処理の形状等を特定した請求項３及び４に記載の発明によれば、上記効果がより効率的に達成されることに加え、ファスニングテープの摘み代をなくしたり係合力を低下させたりする従来の使い捨て紙おむつの有する欠点を除去することができる。
【００１８】
以下、上記各請求項に係る本発明の詳細を、実施例を示す添付図面に基づき説明する。
【発明を実施するための最良の形態】
【００１９】
図１は本発明の一実施形態に係る使い捨て紙おむつ１Ａの要部を示す平面図、すなわち図４に展開平面図で示す従来の使い捨て紙おむつ１の上部側右半分に対応する部分を示す平面図であり、図２は図１のＹ−Ｙ断面図である。なお、図１以下の本発明の実施形態に係る図においては、前述した従来の使い捨て紙おむつ１と同一の構成要素には同一の符号が付されている。
【００２０】
本使い捨て紙おむつ１Ａは、表面側を覆う透液性トップシート２と裏面側を覆う不透液性バックシート３とにより吸収体４０を内装しておむつ本体５０を形成し、このおむつ本体５０の背部両側に装着時及び廃棄時に使用されるファスニングテープ６０を固定して成っている点で前記従来の使い捨て紙おむつ１と一見共通しているが、吸収体４０及びファスニングテープ６０の構造が従来のものと異なっている。
【００２１】
すなわち、先ず、本使い捨て紙おむつ１Ａにおけるファスニングテープ６０は、図２に断面図で示すように、不織布等から成る基材６０ａと、基材６０ａの表面に接着剤等により固定されたフック等から成るオス材６０ｂとで構成され、基材６０ａの一端部６０ａ１側がトップシート２とバックシート３に挟持されて接着剤等によりおむつ本体５の背部両側に固定され、他端部６０ａ２側が自由端となっているが、基材６０ａの表裏各面には夫々エンボス６０ｃ、６０ｄ処理が施されており、基材６０ａの表裏各面にオス材６０ｂが係合しないように構成されている。
【００２２】
図１に示すように、このエンボス６０ｃ、６０ｄは、例えば直径Ｄが０．１〜３ｍｍ程度、深さが０．０１〜０．３ｍｍ程度の円柱状の凹部に形成され、ピッチＰが従来の約半分程度の０〜１．５ｍｍ、好ましくは０〜１．０ｍｍに、テープ基材６０ａの表裏各面に対するエンボス率が１０〜１００％、好ましくは１５〜１００％に設定されている。
【００２３】
このようにテープ基材６０ａの表裏各面にエンボス処理を施すと、エンボス６０ｃ、６０ｄにより熱圧着された繊維表面が平滑化され、オス材６０ｂがこの面と係合しなくなる。とくに上記のような範囲に設定され、エンボス処理を施された本使い捨て紙おむつ１Ａによれば、テープ基材６０ａの表裏各面とオス材６０ｂとの剥離力が図５に示される従来のファスニングテープ６に較べ大幅に低減されるので、両者の係合が確実に阻止される。
【００２４】
本発明者による実験によれば、オス材６０ｂとテープ基材６０ａの表面との剥離力を（Ｆ）とすれば、この（Ｆ）は０〜１０ｇｆ／２５ｍｍに設定することが好ましく、１０ｇｆ／２５ｍｍ以上にすると両者が係合し易くなることが究明されている。
【００２５】
また、本発明者の実験によれば、オス材６０ｂとバックシート３の裏面との剥離力（Ｆ１）を、オス材６０ｂとテープ基材６０ａの裏面との剥離力（Ｆ２）よりも大きく設定することが好ましいことが判明している。具体的には、剥離力（Ｆ１）は８０〜２００ｇｆ／２５ｍｍに、剥離力（Ｆ２）は０〜８０ｇｆ／２５ｍｍに、好ましくは０〜２０ｇｆ／２５ｍｍに設定される。このように、剥離力（Ｆ１）は剥離力（Ｆ）、（Ｆ２）のいずれよりも大きな値に設定されている。
【００２６】
このように設定された本紙おむつ１Ａによれば、廃棄処理者は廃棄するに際し、本紙おむつ１をぐるぐる巻き上げて左右からファスニングテープ６０で止着するとき、ファスニングテープ６０同士が剥離し易くなっているため、自ずと、紙おむつ１Ａを左右から内側に力を入れてまとめ上げるようになり、コンパクトにしてから一方のファスニングテープ６０のオス材６０ｂをバックシート３の裏面のメス材に係合して止着するようになる。なお、上記範囲を逸脱して設定すると、上述したような効果は得られないことが究明されている。
【００２７】
次に、本発明においては、おむつ本体５０の中核をなす吸収体４０の厚み及び曲げ硬さが低減され、吸収体４０全体が柔軟に構成されている。すなわち、この吸収体４０は綿状パルプ等から成っている点では前述した従来の使い捨て紙おむつ１における吸収体４と同様であるが、その厚みを（Ｔ）、柔らかさの指標である曲げ硬さを（Ｍ）とすると、５０／ｃｍ2荷重時の厚み（Ｔ）は１．０〜８．０ｍｍに、好ましくは２．０〜３．０ｍｍに、また曲げ硬さ（Ｍ）は０．４〜１．０ｇ・ｃｍ2／ｃｍに、好ましくは０．３〜０．５ｇ・ｃｍ2／ｃｍに設定されている。これらの値はいずれも本発明者の実験により究明されたものであり。従来のものに較べ、厚み(Ｔ)及び曲げ硬さ（Ｍ）は夫々約半分程度に軽減された値となっている。
【００２８】
このように、本紙おむつ１Ａは、ファスニングテープ６０のオス材６０ｂの剥離力に加え、吸収体６０自体が極めて柔軟に作られているので、本紙おむつ１Ａによれば、上述したように、廃棄処理者が廃棄するに際しては、紙おむつ１を楽に巻き上げることができ、全体をよりコンパクトにまとめてからファスニングテープ６０で止着することができる。
【００２９】
以上、本発明の内容を一実施形態に基づき説明したが、本発明は必ずしも前記実施形態に限られるものではなく、特許請求の範囲において構成上種々の変更が可能である。
【００３０】
例えば、ファスニングテープの基材面に施すエンボスの形状としては、図３（ａ）に示すような格子状のエンボス６０ｄ１、あるいは（ｂ）に示すような分散した楕円状のエンボス６０ｄ２等の種々のものが適用できる。また、このエンボス処理は、必要に応じ、テープ基材の裏面にのみ施してもよい。
【図面の簡単な説明】
【００３１】
【図１】本発明の要部の展開平面図である。
【図２】図１のＹ−Ｙ断面図である。
【図３】エンボス処理形態を例示する平面図である。
【図４】従来の使い捨て紙おむつの展開平面図である。
【図５】図４のＸ−Ｘ断面図である。
【図６】従来の使い捨て紙おむつの使用状態を示す斜視図である。
【図７】従来の使い捨て紙おむつの廃棄状態を示す平面図である。
【図８】従来の使い捨て紙おむつのファスニングテープの状態を示す断面図である。
【符号の説明】
【００３２】
１        （従来の）使い捨て紙おむつ
１Ａ      （本発明に係る）使い捨て紙おむつ
２          トップシート
３          バックシート
４          吸収体
５          おむつ本体
６          ファスニングテープ
６ａ      （従来の）テープ基材
６ｂ      （従来の）オス材
４０      （本発明に係る）吸収体
５０      （本発明に係る）おむつ本体
６０      （本発明に係る）ファスニングテープ
６０ａ    （本発明に係る）テープ基材
６０ｂ    （本発明に係る）オス材
６０ｄ    （本発明に係る）エンボス
【図１】
0004803843.tif 000002
【図２】
0004803843.tif 000003
【図３】
0004803843.tif 000004
【図４】
0004803843.tif 000005
【図５】
0004803843.tif 000006
【図６】
0004803843.tif 000007
【図７】
0004803843.tif 000008
【図８】
0004803843.tif 000009